(57)【要約】【課題】一連のカメラモジュール検査工程を、一つの装置で効率的により正確に処理可能なカメラモジュール検査および焦点調整装置を提供する。【解決手段】カメラモジュール検査および焦点調整装置は、内部に第１駆動部７１、第２駆動部７２、第３駆動部７３を備えたベース１０と、前記第１駆動部７１により回転されるソケットフレーム４０と、前記第２駆動部７２により昇降されると共にカメラモジュールが装着されるソケットボード４１、４２とを備える。また、ベース１０の上部に備えられた第４駆動部７４により回転されるコレット部２０と、第３駆動部７３の一側と連結された回転軸７３ａと、前記第３駆動部７３により回転される回転板３１と、前記回転板３１の上部に備えられる第１チャート部６０と、前記ベース１０の上部と平行になるように固定された第２チャート部５０とを含んで構成される。【選択図】図６
2013510496.tif 000002
【特許請求の範囲】
【請求項１】
カメラモジュールの検査および焦点調整装置において、
内部に第１駆動部（７１）、第２駆動部（７２）、第３駆動部（７３）を備えたベース（１０）；
前記ベース（１０）の上部一側に備えられ、第１駆動部（７１）により回転するソケットフレーム（４０）；
前記ソケットフレーム（４０）の両側に備えられ、第２駆動部（７２）により昇降され、前記カメラモジュールが装着されるソケットボード（４１、４２）；
前記ベース（１０）の上部に備えられ、前記ソケットボード（４１）と垂直に位置し、ベース（１０）の上部に備えられた第４駆動部（７４）により回転するコレット部（２０）；
前記ベース（１０）の上部に備えられ、第３駆動部（７３）の一側と連結された回転軸（７３ａ）；
前記回転軸（７３ａ）の上部と結合して第３駆動部（７３）により回転し、レンズ（３２）および照明部（３３）を介在した回転板（３１）；
前記回転板（３１）の上部に備えられる第１チャート部（６０）；および
前記ベース（１０）の上部と平行になるようにベース（１０）の一側から垂直に延長された連結部材（１１）の上部に固定される第２チャート部（５０）；
を含んで構成されることを特徴とする、カメラモジュール検査および焦点調整装置。
【請求項２】
前記第１駆動部（７１）は、回転軸と連結されたモータ（７１ａ）で構成され、回転軸をソケットフレーム（４０）の中心に結合してソケットフレーム（４０）を回転させる構成であり、
第２駆動部（７２）は、モータ（７２ｄ）と、モータ（７２ｄ）の近辺に備えられるボールスクリュー（７２ｅ）と、前記モータ（７２ｄ）の回転力をボールスクリュー（７２ｅ）に伝達するためにモータ（７２ｄ）とボールスクリュー（７２ｅ）のそれぞれの一側に備えられるプーリ（７２ａ、７２ｂ）と、前記プーリ（７２ａ、７２ｂ）を連結するベルト（７２ｃ）と、前記ボールスクリュー（７２ｅ）の他側に備えられる昇降部（７２ｆ）とで構成され、昇降部（７２ｆ）でソケットフレーム（４０）の上部に位置したソケットボード（４１）を昇降させる構成であり、
第３駆動部（７３）は、モータ（７３ｂ）で構成され、モータ（７３ｂ）を前記ベース（１０）の上部に位置した回転軸（７３ａ）と結合して回転板（３１）を回転させる構成であり、
第４駆動部（７４）は、ベース（１０）の上部に備えられるモータと、前記モータの一側に連結されるプーリと、前記プーリとコレット部（２０）の外周面を連結するベルト（７４ａ）とで構成され、モータの回転でコレット部（２０）を回転する構成であることを特徴とする、請求項１に記載のカメラモジュール検査および焦点調整装置。
【請求項３】
前記カメラモジュールと照明部（３３）の垂直位置が一致するように第３駆動部（７３）で回転板（３１）を回転させた後、照明を照射してカメラモジュールのイメージ欠陥の有無を検査する機能；
前記カメラモジュールとレンズ（３２）と第２チャート部（５０）の垂直位置が一致するように第３駆動部（７３）で回転板（３１）を回転させた後、「（１）カメラモジュールで第２チャート部（５０）を撮影し、撮影したデータを受信して分析した後、カメラモジュールが最適の固定焦点状態でない場合、第２駆動部（７２）でソケットボード（４１）を上昇させてコレット部（２０）と結合するようにし、第４駆動部（７４）でコレット部（２０）を駆動してカメラモジュールを調整した後、第２駆動部（７２）でソケットボード（４１）を下降」させてモジュールのレンズ部に接触圧力が加わらないようにして正確な焦点測定を行う（１）過程をカメラモジュールが最適焦点状態になるまで繰り返すようにしてカメラモジュールの固定焦点調整を行う機能；および
前記カメラモジュールが最適焦点状態になる場合、カメラモジュールと第１チャート部（６０）の垂直位置が一致するように第３駆動部（７３）で回転板（３１）を回転させた後、自動焦点駆動検査を行う機能；
を遂行するように前記カメラモジュールと連結される分析手段をさらに備えて構成されることを特徴とする、請求項１に記載のカメラモジュール検査および焦点調整装置。
【発明の詳細な説明】
【技術分野】
【０００１】
本発明は、カメラモジュールを検査する装置に関し、より詳しくは、内部に第１駆動部、第２駆動部、第３駆動部を備えたベースと、前記ベースの上部一側に備えられ、第１駆動部により回転するソケットフレームと、前記ソケットフレームの両側に備えられ、第２駆動部により昇降され、前記カメラモジュールが装着されるソケットボードと、前記ベースの上部に備えられ、前記ソケットボードと垂直に位置し、ベースの上部に備えられた第４駆動部により回転するコレット部と、前記ベースの上部に備えられ、第３駆動部の一側と連結された回転軸と、前記回転軸の上部と結合して第３駆動部により回転し、レンズおよび照明部を介在した回転板と、前記回転板の上部に備えられる第１チャート部と、前記ベースの上部と平行になるようにベースの一側から垂直に延長された連結部材の上部に固定される第２チャート部とを含んで構成されることを特徴とするカメラモジュール検査および焦点調整装置に関する。
【背景技術】
【０００２】
カメラモジュールは、大きくＦＦ型とＡＦ型がある。ＦＦ型（Ｆｉｘｅｄ  Ｆｏｃｕｓ  Ｔｙｐｅ）は、一つの焦点距離で固定されたモジュールであり、ＡＦ型（Ａｕｔｏ−Ｆｏｃｕｓ  Ｔｙｐｅ）は、基本的な固定焦点距離は決められているが、電流または電圧をレンズ部に印加してレンズ部内に構成されたアクチュエーター（駆動機）を作動させて焦点距離を変化させることができるモジュールである。ＡＦ型カメラモジュールは、複数のレンズでレンズ系を構成しており、ＶＣＭ（Ｖｏｉｃｅ  Ｃｏｉｌ  Ｍｏｔｏｒ）などの駆動機（Ａｃｔｕａｔｏｒ）が備えられているため、それぞれのレンズを移動させてその相対距離を変化させることによって光学的な焦点距離を調節するように構成される。
【０００３】
最近、カメラが搭載された携帯電話機が登場することに伴って、携帯電話により静止画像および動画の撮影が可能になった。現在高解像度および高画質の撮影のためにカメラの性能が順次改善されて行く傾向にある。
【０００４】
携帯電話機に装着されるカメラモジュールもこのような作動検査を経るのは当然である。具体的には、オープン／ショート検査、電源ラインの抵抗値測定、消費電流検査、入出力漏洩電流検査などを通じて不良の有無を判定するようになる。
【０００５】
また、カメラモジュールは、出荷前にレンズ部をセンサーおよびハウジング部と特定の固定焦点距離に合うようにレンズ部を精密回転させて締結深さを決める固定フォーカシング調整、イメージ検査、ＡＦ駆動検査を行わなければならない。前記フォーカシング調整は、レンズの固定焦点を検査する工程であり、イメージ検査は、カメラモジュールの出力イメージを精密分析してセンサー内の単位ピクセルの欠陥ないしはスクラッチやパーティクルなどの欠陥があるか検査する工程であり、ＡＦ駆動検査は、カメラモジュール自体が有するＶＣＭなどの駆動部を作動させて具現する自動焦点機能の動作異常の有無を検査する工程である。
【０００６】
ところで、従来は、カメラモジュールに対する固定焦点調整、イメージ検査、自動焦点駆動検査を行うためには、それぞれ互いに異なる機器を使用しなければならないという煩わしさがあった。
【０００７】
また、カメラモジュールに対して固定焦点調整を行うためには、固定焦点検査のためのフォーカシングチャート部（イメージを有するフォーカシングチャートと仮想距離を形成するための縮小光学系を含む）のコレット部を検査しようとするカメラモジュールのレンズ部に近く下降させて固定焦点検査を行わなければならないが、相対的に重量が重く、体積が大きいフォーカシングチャート部を昇下降移動させなければならなかったため、この駆動メカニズムが非常に複雑に行われるようになる問題点があった。
【０００８】
また、フォーカシングチャート部のコレット部が過度に下降するようになる場合、カメラモジュールのレンズ部の破損がしばしば発生する問題点があった。
【０００９】
また、ＡＦ型のカメラモジュールの場合、駆動機（Ａｃｔｕａｔｏｒ）構成に応じて固定焦点調整作業時、レンズ部にコレットの接触圧力による正確な焦点測定が難しいケースが多く発生する問題点があった。
【発明の概要】
【発明が解決しようとする課題】
【００１０】
したがって、本発明は前記問題点を解決するために案出されたものであって、本発明の目的は、固定フォーカシング調整とイメージ検査およびＡＦ駆動検査など一連のカメラモジュール検査工程を一つの装置で効率的により正確に処理することができるようにするカメラモジュール検査および焦点調整装置を提供することにある。
【課題を解決するための手段】
【００１１】
上記の本発明の目的は、内部に第１駆動部、第２駆動部、第３駆動部を備えたベース；前記ベースの上部一側に備えられ、第１駆動部により回転するソケットフーム；前記ソケットフレームの両側に備えられ、第２駆動部により昇降され、前記カメラモジュールが装着されるソケットボード；前記ベースの上部に備えられ、前記ソケットボードと垂直に位置し、ベースの上部に備えられた第４駆動部により回転するコレット部；前記ベースの上部に備えられ、第３駆動部の一側と連結された回転軸；前記回転軸の上部と結合して第３駆動部により回転し、レンズおよび照明部を介在した回転板；前記回転板の上部に備えられる第１チャート部；および前記ベースの上部と平行になるようにベースの一側から垂直に延長された連結部材の上部に固定される第２チャート部；を含んで構成されることを特徴とするカメラモジュール検査装置により達成される。
【００１２】
一方、本発明において、前記第１駆動部は、回転軸と連結されたモータで構成され、回転軸をソケットフレームの中心に結合してソケットフレームを回転させる構成であり、第２駆動部は、モータと、モータの近辺に備えられるボールスクリューと、前記モータの回転力をボールスクリューに伝達するためにモータとボールスクリューのそれぞれの一側に備えられるプーリと、前記プーリを連結するベルトと、前記ボールスクリューの他側に備えられる昇降部とで構成され、昇降部をソケットフレームの上部に位置したソケットボードと結合してソケットボードを昇降させる構成であり、第３駆動部は、モータで構成され、モータを前記ベースの上部に位置した回転軸と結合して回転板を回転させる構成であり、第４駆動部は、ベースの上部に備えられるモータと、前記モータの一側に連結されるプーリと、前記プーリとコレット部の外周面を連結するベルトとで構成され、モータの回転でコレット部を回転する構成であることを特徴とする。
【００１３】
また、本発明は、前記カメラモジュールと照明部の垂直位置が一致するように第３駆動部で回転板を回転させた後、照明を照射してカメラモジュールのイメージ欠陥の有無を検査する機能；前記カメラモジュールとレンズと第２チャート部の垂直位置が一致するように第３駆動部で回転板を回転させた後、「（１）カメラモジュールで第２チャート部を撮影し、撮影したデータを受信して分析した後、カメラモジュールが最適の固定焦点状態でない場合、第２駆動部でソケットボードを上昇させてコレット部と結合するようにし、第４駆動部でコレット部を駆動してカメラモジュールを調整した後、第２駆動部でソケットボードを下降」させてモジュールのレンズ部に接触圧力が加わらないようにして正確な焦点測定を行う（１）過程をカメラモジュールが最適焦点状態になるまで繰り返すようにしてカメラモジュールの固定焦点調整を行う機能；および前記カメラモジュールが最適焦点状態になる場合、カメラモジュールと第１チャート部の垂直位置が一致するように第３駆動部で回転板を回転させた後、自動焦点駆動検査を行う機能；を遂行するように前記カメラモジュールと連結される分析手段をさらに備えて構成されることを特徴とする。
【発明の効果】
【００１４】
本発明は、ＡＦ型カメラモジュールに対する固定焦点調整、イメージ検査、自動焦点駆動検査を一つの装備で行うことができるようにする効果がある。
【００１５】
また、本発明は、フォーカシングチャート部を固定させておき、カメラモジュールを昇下降させるようにすることによって、より簡単な駆動メカニズムを通じて固定焦点検査を行うことができるようにする効果がある。
【００１６】
また、本発明は、フォーカシングチャート部のコレット部によりカメラモジュールのレンズ部が接触圧力などによる影響を受けて焦点測定が不正確になるか、または破損することを未然に防止するようにする効果がある。
【図面の簡単な説明】
【００１７】
【図１】従来のカメラモジュールの一例を示すための図面、
【図２】従来のカメラモジュールの一例を示すための図面、
【図３】従来のカメラモジュールの一例を示すための図面、
【図４】本発明の一実施例によるカメラモジュール検査装置を示す図面、
【図５】図４のカメラモジュール検査装置において、ベースの上部を開放して示す図面、
【図６】本発明の一実施例によるカメラモジュール検査装置の側断面を示す図面、
【図７】カメラモジュール検査装置の構成のうち、コレット部を詳細に示した断面図である。
【発明を実施するための形態】
【００１８】
以下、本発明の好適な実施例を添付図面を参照して詳しく説明する。
【００１９】
本発明は、カメラモジュールを検査し、焦点を調整する装置に関し、より詳しくは、カメラモジュールの固定焦点調整と、イメージ検査と、自動焦点駆動検査とを一つの装置で可能にするカメラモジュール検査および焦点調整装置である。
【００２０】
カメラモジュール（ＣＣＭ：ＣＯＭＰＡＣＴ  ＣＡＭＥＲＡ  ＭＯＵＤＵＬＥ）は、小型で、カメラフォンやＰＤＡ、スマートホンをはじめとする携帯用移動通信機器とトイカメラ（ＴＯＹ  ＣＡＭＥＲＡ）などの多様なＩＴ機器に適用されているところ、最近は消費者の多様な好みに合わせて小型のカメラモジュールが装着された機器の市場発表が順次に増えている実情である。
【００２１】
このようなカメラモジュールは、ＣＣＤやＣＭＯＳなどのイメージセンサーを主要部品として製作されており、前記イメージセンサーを通じて事物のイメージを集光させて機器内のメモリ上にデータとして保存され、保存されたデータは機器内のＬＣＤまたはＰＣモニターなどのディスプレイ媒体を通じて映像としてディスプレイされる。
【００２２】
通常のカメラモジュールは、代表的にＣＯＢ（ＣＨＩＰ  ＯＮ  ＢＯＡＲＤ）、ＣＯＦ（ＣＨＩＰ  ＯＮ  ＦＬＥＸＩＢＬＥ）などの方式で製作されるところ、そのうちＣＯＢ方式の代表的な構造について、以下で図面を参照して簡略に説明する。
【００２３】
図１は、ＣＯＢタイプカメラモジュールの分解斜視図であり、図２は、ＣＯＢタイプカメラモジュールが概略的に示された断面図であり、図３は、コネクタ外装型ＣＯＢタイプカメラモジュールを示す斜視図であり、一般的なカメラモジュールは、ＣＣＤやＣＭＯＳのイメージセンサー１０４がワイヤーボンディング方式により装着されたプリント基板１０５がプラスチック材質のハウジング２００下部に結合され、前記ハウジング２００上部へ延長された鏡筒１０３に、下部へ円筒形本体１０２が延長されたレンズバレル１００が結合することによって製作される。
【００２４】
前記カメラモジュールは、鏡筒１０３内周面に形成された雌ねじ部１０３ａと円筒形本体１０２の外周面に形成された雄ねじ部１０２ａのねじ結合によりハウジング２００とレンズバレル１００が相互結合される。
【００２５】
この時、前記プリント基板１０５の上面、つまり、レンズバレル１００の下段部に装着されたレンズ１０１と前記プリント基板１０５の下面に付着されたイメージセンサー１０４との間にはＩＲフィルター１０６が結合されることによって、イメージセンサー１０４に流入される過度な長波長の赤外線を遮断させるようになる。
【００２６】
前記のように組み立てられたカメラモジュールは、特定の事物から流入される光がレンズ１０１を通過しながら像が反転されてイメージセンサー１０４の表面にフォーカシングされるが、この時、ねじ結合によりハウジング２００上段に締結されたレンズバレル１００を回転させながら最適のフォーカスが合わされた地点でハウジング２００とレンズバレル１００の遊隔の間に接着剤を注入してハウジング２００とレンズバレル１００を接着固定させ、最終的なカメラモジュール製品が生産される。
【００２７】
このような構造のカメラモジュールは、前記ハウジング２００の底面に装着されたイメージセンサー１０４と対応するレンズ１０１が装着されたレンズバレル１００を左右回転させて前記イメージセンサー１０４の受光領域にレンズ１０１の正確な焦点が決定されるようにするために、前記イメージセンサー１０４に撮像されたイメージを作業者が直接肉眼で確認し、撮像イメージが鮮明になるまで前記イメージセンサー１０４とレンズ１０１の間の距離を調節するようになり、前記イメージセンサー１０４に撮像されたイメージが最も鮮明になった時、レンズの位置が固定されるように前記ハウジング２００とレンズバレル１００の接着固定が行われるようになる。
【００２８】
また、前記ハウジング２００の上部に仮結合されたレンズバレル１００上部に第２チャート部５０を位置させ、前記第２チャート部５０のイメージがイメージセンサー１０４を通じて撮像された制御因子のうち、コントラスト（ＣＯＮＴＲＡＳＴ）値などを抽出し抽出されたコントラスト値の比較により焦点調整が行われるようにする。説明していない符号３００は、コネクタである。
【００２９】
次に、このようなカメラモジュールの固定焦点調整と、イメージ検査と、オートフォーカシング（ＡＦ）検査を一つの装置で可能にするカメラモジュール検査装置の構成およびこれによるカメラモジュールの固定焦点調整と、イメージ検査と、自動焦点駆動検査方法を詳しく説明する。
【００３０】
カメラモジュール検査装置は、内部に第１駆動部７１、第２駆動部７２、第３駆動部７３を備えたベース１０と、前記ベース１０の上部一側に備えられ、第１駆動部７１により回転するソケットフレーム４０と、前記ソケットフレーム４０の両側に備えられ、第２駆動部７２により昇降され、前記カメラモジュールが装着されるソケットボード４１、４２と、前記ベース１０の上部に備えられ、前記ソケットボード４１と垂直に位置し、ベース１０の上部に備えられた第４駆動部７４により回転するコレット部２０と、前記ベース１０の上部に備えられ、第３駆動部７３の一側と連結された回転軸７３ａと、前記回転軸７３ａの上部と結合して第３駆動部７３により回転し、レンズ３２および照明部３３を介在した回転板３１と、前記回転板３１の上部に備えられる第１チャート部６０と、前記ベース１０の上部と平行になるようにベース１０の一側から垂直に延長された連結部材１１の上部に固定される第２チャート部５０とを含んで構成される。
【００３１】
ここで、第１駆動部７１は、回転軸（図示せず）と連結されたモータ７１ａで構成され、回転軸をソケットフレーム４０の中心に結合してソケットフレーム４０を回転させる構成であり、第２駆動部７２は、モータ７２ｄと、モータ７２ｄの近辺に備えられるボールスクリュー７２ｅと、前記モータ７２ｄの回転力をボールスクリュー７２ｅに伝達するためにモータ７２ｄとボールスクリュー７２ｅのそれぞれの一側に備えられるプーリ７２ａ、７２ｂと、前記プーリ７２ａ、７２ｂを連結するベルト７２ｃと、前記ボールスクリュー７２ｅの他側に備えられる昇降部７２ｆとで構成され、昇降部７２ｆでソケットフレーム４０の上部に位置したソケットボード４１を昇降させる構成であり、第３駆動部７３は、モータ７３ｂで構成され、モータ７３ｂを前記ベース１０の上部に位置した回転軸７３ａと結合して回転板３１を回転させる構成であり、第４駆動部７４は、ベース１０の上部に備えられるモータと、前記モータの一側に連結されるプーリと、前記プーリとコレット部２０の外周面を連結するベルト７４ａとで構成され、モータの回転によりコレット部２０を回転する構成である。
【００３２】
そして、本発明は、前記カメラモジュールと照明部３３の垂直位置が一致するように第３駆動部７３で回転板３１を回転させた後、照明を照射してカメラモジュールのイメージ欠陥の有無を検査する機能と、前記カメラモジュールとレンズ３２と第２チャート部５０の垂直位置が一致するように第３駆動部７３で回転板３１を回転させた後、「（１）カメラモジュールで第２チャート部５０を撮影し、撮影したデータを受信して焦点状態を分析した後、カメラモジュールが最適焦点状態でない場合、第２駆動部７２でソケットボード４１を上昇させてコレット部２０と結合するようにし、第４駆動部７４でコレット部２０を駆動してカメラモジュールを調整した後、第２駆動部７２でソケットボード４１を下降」させてカメラモジュールのレンズ部に接触圧力が加わらないようにして正確な焦点測定を行う（１）過程をカメラモジュールが最適焦点状態になるまで繰り返すようにしてカメラモジュールの固定焦点調整を行う機能と、前記カメラモジュールが最適焦点状態になる場合、カメラモジュールと第１チャート部６０の垂直位置が一致するように第３駆動部７３で回転板３１を回転させた後、自動焦点駆動検査を行う機能とを遂行するように前記カメラモジュールと連結される分析手段をさらに備えることが好ましい。
【００３３】
ベース１０は、本発明によるカメラモジュール検査装置を全体的に水平になるように支持する役割を果たすと共に、その上部にカメラモジュールを装着するソケットボード４１、４２と、回転力を伝達して回転板３１を回転させるベース１０の上部に備えられた回転軸７３ａと、コレット部２０を回転させる第４駆動部７４およびベース１０の一側から垂直に延長された連結部材１１を通じて上部に第２チャート部５０をベース１０の上部と平行に固定する。
【００３４】
コレット部２０は、第２チャート部５０を撮影するカメラモジュールの仮想距離を形成するためにベース１０の上部に固定して備えられており、第２駆動部７２によりカメラモジュールと結合してカメラモジュールのレンズ１０１の最適フォーカシング位置を調整する。
【００３５】
このようなコレット部２０は、図７に示したように、ケースに複数の凸レンズと凹レンズが装着設置され、ケースの下部にはプーリ２０ｇが回転可能に設置されて第４駆動部７４のベルト７４ａと連結されて回転し、プーリ２０ｇの下部にはカメラモジュールと結合されるコレット２０ｃとこのコレット２０ｃが離脱することを防止するための離脱防止部２０ｂが備えられて構成される。
【００３６】
一方、回転軸７３ａにより回転する回転板３１は、回転軸７３ａの上部と結合して第３駆動部７３により回転し、レンズ３２および照明部３３を介在して構成され、上部には第１チャート部６０を備える。
【００３７】
したがって、第３駆動部７３により回転する回転板３１によりレンズ３２、照明部３３、第１チャート部６０は回転板３１と連動して回転する。そして、第１チャート部６０がコレット部２０と垂直線上に位置するようになる時、コレット部２０で第１チャート部６０が見えるように第１チャート部６０の下側の回転板３１の面は開放された構造である。
【００３８】
ソケットフレーム４０は、第１駆動部７１の回転軸（図示せず）と結合して回転する構成であって、上部の両側にソケットボード４１、４２が備えられ、このソケットボード４１、４２が第２駆動部７２により昇降するようにホールが形成されている。したがって、第２駆動部７２の昇降部７２ｆ（例えば、ピン）がソケットフレーム４０のホールを貫通して結局ソケットボード４１の下部に形成されたホールに挿入されてソケットボード４１を昇降させる。分析手段は、端末器であってもよく、カメラモジュールおよびカメラモジュール検査装置に連結されて第１、２、３、４駆動部７１、７２、７３、７４の駆動を制御し、カメラモジュールのイメージ検査と自動焦点駆動検査および固定焦点調整のためにカメラモジュールの撮影情報を分析する。
【００３９】
カメラモジュール自動供給過程
まず、ソケットボード４１、４２のうち、図４に示したように、操作部９１側に位置したソケットボード４２にカメラモジュールを自動または手動で装着する。次に、第１駆動部７１を駆動してソケットフレーム４０を１８０°回転させてカメラモジュールが装着されたソケットボード４２をコレット部と垂直に一致するようにする。
【００４０】
次に、カメラモジュールが本発明によるカメラ検査装置により一連の過程、つまり、固定焦点調整、自動焦点駆動検査、イメージ検査を実施した後、第１駆動部７１は再びソケットフレーム４０を１８０°回転させて検査完了されたカメラモジュールを手動または自動的に取り出す。この時、他のソケットボード４１には、前記第１駆動部７１が検査完了されたカメラモジュールを取り出すためにソケットフレーム４０を１８０°回転させる前に他のソケットボード４１に他のカメラモジュールを手動または自動的に装着する。
【００４１】
一方、このような過程が繰り返されるようにする第１駆動部７１は、カメラモジュールを連続的に検査するようにすることに寄与する。
【００４２】
カメラモジュールのイメージ検査
前記カメラモジュール自動供給過程において、被調整体であるカメラモジュールが第１駆動部７１によりコレット部２０と同一な垂直線上に位置するようになると、第３駆動部７３は回転板３１を回転させて回転板３１に備えられた照明部３３をカメラモジュールとコレット部２０と同一な垂直線上に位置させる。次に、照明部３３を稼動してカメラモジュールに照明を照射し、カメラモジュールのイメージ欠陥の有無を検査する。
【００４３】
カメラモジュールの固定焦点調整
前記カメラモジュールのイメージ検査が完了されると、第３駆動部７３は、回転板３１を回転させて回転板３１に備えられたレンズ３２をカメラモジュールとコレット部２０と同一な垂直線上に位置させる。この時、第２チャート部５０は、前記レンズ３２とカメラモジュールとコレット部２０と同一な垂直線上に位置しているため、カメラモジュールで前記第２チャート部５０を撮影した後、撮影されたイメージが鮮明であるか判断し、鮮明である場合には完了され、鮮明でない場合には第２駆動部７２を駆動して前記被調整体であるカメラモジュールが装着されたソケットボード４１を上昇させてコレット部２０と結合するようにする。
【００４４】
次に、第４駆動部７４を駆動してコレット部２０のプーリ２０ｇを回転させると、結局被調整体であるカメラモジュールは調整される。そして、第４駆動部７４によりカメラモジュールが調整されると、再び第２駆動部７２を駆動してソケットボード４１を下降させ、カメラモジュールで再び第２チャート部５０を撮影する。このような過程が反復されるとカメラモジュールの固定焦点調整が完了される。
【００４５】
カメラモジュールのＡＦ（自動焦点）駆動検査
前記カメラモジュールのフォーカシング検査が完了されると、第３駆動部７３を駆動して照明部３３をカメラモジュールと垂直線上に位置させ、イメージ検査を再び行うようになり、イメージ検査が完了されると、第３駆動部７３を駆動して第１チャート部６０をカメラモジュールとコレット部２０の垂直線上に位置させ、第１チャート部６０を通じて自動焦点駆動検査を完了する。
【００４６】
以上で本発明を好適な実施例と関連して説明したが、本発明の技術分野に属する者は本発明の本質的な特性から外れない範囲内に多様な変更および修正を容易に実施することができるだろう。したがって、開示された実施例は、限定的な観点でない説明的な観点で考慮されなければならず、本発明の真正な範囲は前述した説明でない特許請求の範囲に示されており、それと同等範囲内のあらゆる差異点は、本発明に含まれたと解釈されなければならないだろう。
【産業上の利用可能性】
【００４７】
本発明は、ＡＦ型カメラモジュールに対する固定焦点調整、イメージ検査、自動焦点駆動検査を一つの装備で行うことができるようにする効果がある。
【００４８】
また、本発明は、フォーカシングチャート部を固定させておき、カメラモジュールを昇下降させるようにすることによって、より簡単な駆動メカニズムを通じて固定焦点検査を行うことができるようにする効果がある。
【００４９】
また、本発明は、フォーカシングチャート部のコレット部によりカメラモジュールのレンズ部が接触圧力などによる影響を受けて焦点測定が不正確になるか、または破損することを未然に防止するようにする効果がある。
【符号の説明】
【００５０】
１０…ベース
２０…コレット部
３１…回転板
３２…レンズ
３３…照明部
４０…ソケットフレーム
４１、４２…ソケットボード
５０…第２チャート部
６０…第１チャート部
７１…第１駆動部
７２…第２駆動部
７３…第３駆動部
７４…第４駆動部
【図１】
2013510496.tif 000003
【図２】
2013510496.tif 000004
【図３】
2013510496.tif 000005
【図４】
2013510496.tif 000006
【図５】
2013510496.tif 000007
【図６】
2013510496.tif 000008
【図７】
2013510496.tif 000009
【手続補正書】
【提出日】平成24年6月12日(2012.6.12)
【手続補正１】
【補正対象書類名】明細書
【補正対象項目名】０００１
【補正方法】変更
【補正の内容】
【０００１】
本発明は、カメラモジュール検査および焦点調整装置に関する。
【手続補正２】
【補正対象書類名】明細書
【補正対象項目名】００１１
【補正方法】変更
【補正の内容】
【００１１】
上記の本発明の目的は、内部に第１駆動部、第２駆動部、第３駆動部を備えたベース；前記ベースの上部一側に備えられ、第１駆動部により回転されるソケットフーム；前記ソケットフレームの両側に備えられ、第２駆動部により昇降され、前記カメラモジュールが装着されるソケットボード；前記ベースの上部に備えられ、前記ソケットボードと垂直に位置し、ベースの上部に備えられた第４駆動部により回転されるコレット部；前記ベースの上部に備えられ、第３駆動部の一側と連結された回転軸；前記回転軸の上部と結合して第３駆動部により回転され、レンズおよび照明部を備えた回転板；前記回転板の上部に備えられる第１チャート部；および前記ベースの上部と平行になるようにベースの一側から垂直に延長された連結部材の上部に固定される第２チャート部；を含んで構成されることを特徴とするカメラモジュール検査装置により達成される。
【手続補正３】
【補正対象書類名】明細書
【補正対象項目名】００１３
【補正方法】変更
【補正の内容】
【００１３】
また、本発明は、前記カメラモジュールと照明部の垂直位置が一致するように第３駆動部で回転板を回転させた後、照明を照射してカメラモジュールのイメージ欠陥の有無を検査する機能；前記カメラモジュールとレンズと第２チャート部の垂直位置が一致するように第３駆動部で回転板を回転させた後、「（１）カメラモジュールで第２チャート部を撮影し、撮影したデータを受信して分析した後、カメラモジュールが最適の固定焦点状態でない場合、第２駆動部でソケットボードを上昇させてコレット部と結合するようにし、第４駆動部でコレット部を駆動してカメラモジュールを調整した後、第２駆動部でソケットボードを下降」させてモジュールのレンズ部に接触圧力が加わらないようにして正確な焦点測定を行う前記（１）過程をカメラモジュールが最適焦点状態になるまで繰り返すようにしてカメラモジュールの固定焦点調整を行う機能；および前記カメラモジュールが最適焦点状態になる場合、カメラモジュールと第１チャート部の垂直位置が一致するように第３駆動部で回転板を回転させた後、自動焦点駆動検査を行う機能；を遂行するように前記カメラモジュールと連結される分析手段をさらに備えて構成されることを特徴とする。
【手続補正４】
【補正対象書類名】明細書
【補正対象項目名】００２５
【補正方法】変更
【補正の内容】
【００２５】
この時、前記プリント基板１０５の上方つまり、レンズバレル１００の下段部に装着されたレンズ１０１と前記プリント基板１０５の上面に付着されたイメージセンサー１０４との間にはＩＲフィルター１０６が結合されることによって、イメージセンサー１０４に流入される過度な長波長の赤外線を遮断させるようになる。
【手続補正５】
【補正対象書類名】明細書
【補正対象項目名】００３０
【補正方法】変更
【補正の内容】
【００３０】
カメラモジュール検査装置は、内部に第１駆動部７１、第２駆動部７２、第３駆動部７３を備えたベース１０と、前記ベース１０の上部一側に備えられ、第１駆動部７１により回転されるソケットフレーム４０と、前記ソケットフレーム４０の両側に備えられ、第２駆動部７２により昇降され、前記カメラモジュールが装着されるソケットボード４１、４２と、前記ベース１０の上部に備えられ、前記ソケットボード４１と垂直に位置し、ベース１０の上部に備えられた第４駆動部７４により回転されるコレット部２０と、前記ベース１０の上部に備えられ、第３駆動部７３の一側と連結された回転軸７３ａと、前記回転軸７３ａの上部と結合して第３駆動部７３により回転され、レンズ３２および照明部３３を備えた回転板３１と、前記回転板３１の上部に備えられる第１チャート部６０と、前記ベース１０の上部と平行になるようにベース１０の一側から垂直に延長された連結部材１１の上部に固定される第２チャート部５０とを含んで構成される。
【手続補正６】
【補正対象書類名】明細書
【補正対象項目名】００３６
【補正方法】変更
【補正の内容】
【００３６】
一方、回転軸７３ａにより回転する回転板３１は、回転軸７３ａの上部と結合して第３駆動部７３により回転され、レンズ３２および照明部３３を介在して構成され、上部には第１チャート部６０を備える。
【手続補正７】
【補正対象書類名】明細書
【補正対象項目名】００４０
【補正方法】変更
【補正の内容】
【００４０】
次に、カメラモジュールが本発明によるカメラ検査装置により一連の過程、つまり、固定焦点調整、自動焦点駆動検査、イメージ検査を実施した後、第１駆動部７１は再びソケットフレーム４０を１８０°回転させて検査完了されたカメラモジュールを手動または自動的に取り出す。この時、前記第１駆動部７１が検査完了されたカメラモジュールを取り出すためにソケットフレーム４０を１８０°回転させる前に、他のソケットボード４１に他のカメラモジュールを手動または自動的に装着する。
【手続補正８】
【補正対象書類名】特許請求の範囲
【補正対象項目名】全文
【補正方法】変更
【補正の内容】
【特許請求の範囲】
【請求項１】
カメラモジュールの検査および焦点調整装置において、
内部に第１駆動部（７１）、第２駆動部（７２）、第３駆動部（７３）を備えたベース（１０）；
前記ベース（１０）の上部一側に備えられ、第１駆動部（７１）により回転されるソケットフレーム（４０）；
前記ソケットフレーム（４０）の両側に備えられ、第２駆動部（７２）により昇降され、前記カメラモジュールが装着されるソケットボード（４１、４２）；
前記ベース（１０）の上部に備えられ、前記ソケットボード（４１）と垂直に位置し、ベース（１０）の上部に備えられた第４駆動部（７４）により回転されるコレット部（２０）；
前記ベース（１０）の上部に備えられ、第３駆動部（７３）の一側と連結された回転軸（７３ａ）；
前記回転軸（７３ａ）の上部と結合して第３駆動部（７３）により回転され、レンズ（３２）および照明部（３３）を備えた回転板（３１）；
前記回転板（３１）の上部に備えられる第１チャート部（６０）；および
前記ベース（１０）の上部と平行になるようにベース（１０）の一側から垂直に延長された連結部材（１１）の上部に固定される第２チャート部（５０）；
を含んで構成されることを特徴とする、カメラモジュール検査および焦点調整装置。
【請求項２】
前記第１駆動部（７１）は、回転軸と連結されたモータ（７１ａ）で構成され、回転軸をソケットフレーム（４０）の中心に結合してソケットフレーム（４０）を回転させる構成であり、
第２駆動部（７２）は、モータ（７２ｄ）と、モータ（７２ｄ）の近辺に備えられるボールスクリュー（７２ｅ）と、前記モータ（７２ｄ）の回転力をボールスクリュー（７２ｅ）に伝達するためにモータ（７２ｄ）とボールスクリュー（７２ｅ）のそれぞれの一側に備えられるプーリ（７２ａ、７２ｂ）と、前記プーリ（７２ａ、７２ｂ）を連結するベルト（７２ｃ）と、前記ボールスクリュー（７２ｅ）の他側に備えられる昇降部（７２ｆ）とで構成され、昇降部（７２ｆ）でソケットフレーム（４０）の上部に位置したソケットボード（４１）を昇降させる構成であり、
第３駆動部（７３）は、モータ（７３ｂ）で構成され、モータ（７３ｂ）を前記ベース（１０）の上部に位置した回転軸（７３ａ）と結合して回転板（３１）を回転させる構成であり、
第４駆動部（７４）は、ベース（１０）の上部に備えられるモータと、前記モータの一側に連結されるプーリと、前記プーリとコレット部（２０）の外周面を連結するベルト（７４ａ）とで構成され、モータの回転でコレット部（２０）を回転する構成であることを特徴とする、請求項１に記載のカメラモジュール検査および焦点調整装置。
【請求項３】
前記カメラモジュールと照明部（３３）の垂直位置が一致するように第３駆動部（７３）で回転板（３１）を回転させた後、照明を照射してカメラモジュールのイメージ欠陥の有無を検査する機能；
前記カメラモジュールとレンズ（３２）と第２チャート部（５０）の垂直位置が一致するように第３駆動部（７３）で回転板（３１）を回転させた後、「（１）カメラモジュールで第２チャート部（５０）を撮影し、撮影したデータを受信して分析した後、カメラモジュールが最適の固定焦点状態でない場合、第２駆動部（７２）でソケットボード（４１）を上昇させてコレット部（２０）と結合するようにし、第４駆動部（７４）でコレット部（２０）を駆動してカメラモジュールを調整した後、第２駆動部（７２）でソケットボード（４１）を下降」させてモジュールのレンズ部に接触圧力が加わらないようにして正確な焦点測定を行う前記（１）過程をカメラモジュールが最適焦点状態になるまで繰り返すようにしてカメラモジュールの固定焦点調整を行う機能；および
前記カメラモジュールが最適焦点状態になる場合、カメラモジュールと第１チャート部（６０）の垂直位置が一致するように第３駆動部（７３）で回転板（３１）を回転させた後、自動焦点駆動検査を行う機能；
を遂行するように前記カメラモジュールと連結される分析手段をさらに備えて構成されることを特徴とする、請求項１または２に記載のカメラモジュール検査および焦点調整装置。
【手続補正書】
【提出日】平成24年9月25日(2012.9.25)
【手続補正１】
【補正対象書類名】手続補正書
【補正対象項目名】手続補正９
【補正方法】削除
【補正の内容】
【国際調査報告】
2013510496.tif 000010
2013510496.tif 000011
2013510496.tif 000012
2013510496.tif 000013